(57)【要約】【課題】振出し時に、容器を、縦振り、横振りを大きくして、排出孔周辺に付着した内容物を衝撃によって振落とし、目詰まりとならないようにした振出し容器を提供すること。【解決手段】振出し用キャップを被嵌し、粉末状または顆粒状の内容物を収納した内側容器と、外側容器とからなる振出し容器であって、内側容器が、外側容器に軸方向に移動自在、かつ横方向に揺動自在に装着されていることを特徴とする。【選択図】        図１
2004298515.tif 000002
【特許請求の範囲】
【請求項１】
振出し用キャップを被嵌し、粉末状または顆粒状の内容物を収納した内側容器と、外側容器とからなる振出し容器であって、
内側容器が、外側容器に軸方向に移動自在、かつ横方向に揺動自在に装着されていることを特徴とする振出し容器。
【請求項２】
内側容器が、外側容器より小径の上部胴部と、縮径された下部胴部とを具えており、
外側容器が、内側容器の下部胴部を抱持する支持筒を具えていることを特徴とする請求項１記載の振出し容器。
【請求項３】
内側容器の下部胴部の下端に係止突条が設けられ、支持筒に係止突条の係合溝が穿孔されていることを特徴とする請求項２記載の振出し容器。
【請求項４】
内側容器の下部胴部の下端に球帯状の係合環が設けられ、支持筒の上端に球帯状の係止環が設けられていることを特徴とする請求項２記載の振出し容器。
【発明の詳細な説明】
【０００１】
【発明の属する技術分野】
本発明は、調味料等の食料品、化粧料、薬品等の粉末状または顆粒状の内容物を収納した振出し容器に関する。
【０００２】
【従来の技術】
調味料等の振出し容器として内容物排出孔の目詰まりを防ぐようにした容器は、従来より知られている（例えば、特許文献１参照。）。
【０００３】
上記の振出し容器は、外蓋と中蓋との間に空間部を設け、振出し時には、中蓋に形成された中孔から空間部に入った調味料を、外蓋上面の排出孔から排出するようにし、振出し時以外は、空間部を空室にすることにより、さらには、空間部に乾燥剤を入れることにより、乾燥状態を維持するようにしていた。
【０００４】
【特許文献１】
特開平７−３３００４１号公報
【０００５】
【発明が解決しようとする課題】
しかしながら、空間部を乾燥状態にしておいても、容器内までが乾燥状態にならないから、容器使用中に容器内の内容物が湿ることを防ぐことができなかった。
そのため、湿気が立ち上がるような状況下で使用している場合や、振出し容器を長期にわたって使っている場合に、容器内の湿気が増え、湿った内容物が排出孔の周辺に付着して、従来例と同様の目詰まりが起こることが避けられないという問題があった。
これを防ぐため、乾燥剤を容器内に入れておこうとしても、容器が小さい場合、調味料の量に対して、乾燥剤の比率が大きくなるという問題があり、さらに、コストもかかることになった。
【０００６】
本発明は、上記の問題点を考慮し、振出し時に、容器を、縦振り、横振りを大きくして、排出孔周辺に付着した内容物を衝撃によって振落とし、目詰まりとならないようにした振出し容器を提供することを目的とする。
【０００７】
【課題を解決するための手段】
本発明は、上記の課題を解決するため、振出し容器として、振出し用キャップを被嵌し、粉末状または顆粒状の内容物を収納した内側容器と、外側容器とからなる振出し容器であって、内側容器が、外側容器に軸方向に移動自在、かつ横方向に揺動自在に装着されていることを特徴とする構成を採用する。
【０００８】
内側容器と外側容器の関連構造として、内側容器が、外側容器より小径の上部胴部と、縮径された下部胴部とを具えており、外側容器が、内側容器の下部胴部を抱持する支持筒を具えていることを特徴とする構成を採用する。
【０００９】
上記関連構造の実施態様として、内側容器の下部胴部の下端に係止突条が設けられ、支持筒に係止突条の係合溝が穿孔されていることを特徴とする構成、または、内側容器の下部胴部の下端に球帯状の係合環が設けられ、支持筒の上端に球帯状の係止環が設けられていることを特徴とする構成を採用する。
【００１０】
【発明の実施の形態】
次に、本発明の実施形態について、図面を参照して説明する。
図１、２において、Ａは内側容器、Ｂは外側容器、Ｃは内側容器Ａに被嵌された振出し用のキャップである。
内側容器Ａは、粉末状または顆粒状の香辛料、調味料等が収納されている。
【００１１】
図２、３に示すように、内側容器Ａは、口部１、口部１より縮径された上部胴部２と、縮径された下部胴部３、底部４とからなっており、口部１外周には、ねじ５が螺設されており、下部胴部３には、底部４に近接して複数の係止突条６が突設されている。
【００１２】
外側容器Ｂは、キャップ基体Ｃ１の外周に対応する側周壁７と、底壁８を具えており、底壁８には、下端を側周壁７の内側に接合するフランジ９ａを設け、内側に内側容器Ａの下部胴部３を挿入保持する支持筒９が取着されている。
支持筒９には、下部胴部３の係止突条６が上下に摺動可能とした係合溝１０が設けられており、その上端は係止端１１となっている。
また、支持筒９を外側容器Ｂに直接に取着てもよく、さらにまた支持筒９と外側容器Ｂとを一体に成形してもよい。
【００１３】
キャップＣは、キャップ基体Ｃ１と、該キャップ基体Ｃ１に取着された廻動蓋Ｃ２と摺動操作体Ｃ３とを備えている。
キャップ基体Ｃ１は、側周壁１５と、該側周壁１５内部を上下に区切る仕切り板１６、仕切り板１６上に立設された振出し筒１７と、摺動操作体Ｃ３のための案内壁１８および頂板１９とを具えている。
【００１４】
側周壁１５の下部には、容器口部１のねじ５に螺合するねじ２０が刻設されており、振出し筒１７は、振出し孔２１を穿孔した頂壁２２と、容器との連通部を形成する側壁２３とからなっている。
【００１５】
廻動蓋Ｃ２は、ほぼ台形の板体２４から形成され、その裏面には、振出し孔２１を開閉する栓体２５が垂設されている。
板体２４の後端には、連結板２６が連設されており、左右には、軸ピンが設けられ、案内壁１８に枢着されている。
摺動操作体Ｃ３は、押圧板２７と案内壁１８に沿って案内される側板２８、後端を突出部２９とした天板３０とからなっており、天板３０の先端は、廻動蓋Ｃ２の連結板２６と薄肉の連結部を介して接続されている。
【００１６】
前記係止突条６および係合溝１０を複数設けることにより、内側容器の振出し孔２１が外側容器に対し、所望する方向に維持され、振出し操作を良好なものにすることができる。
本実施例では、４つの係止突条６が設けられており、キャップを上下左右の方向に振ることができる。
【００１７】
次に、本発明振出し容器の使用態様と作用効果について説明する。
本発明の振出し容器は、外側容器Ｂに内側容器Ａがセットされ、次いで、内側容器Ａに、香辛料、調味料等の内容物が入れられ、廻動蓋Ｃ２を閉じたキャップＣが口部１に螺着されることによって得られる。
内外の容器のセットにあたっては、内側容器Ａの下部胴部３を外側容器Ｂの支持筒９に、係止突条６を係合溝１０に位置合わせして嵌挿すると、係止突条６が支持筒９の係止端１１を乗り越えて係合溝１０内にはめ込まれ、内側容器Ａは、外側容器Ｂに摺動自在として保持される。
【００１８】
振出し容器の使用時には、摺動操作体Ｃ３の押圧板２７を押圧操作すると、廻動蓋Ｃ２が開かれ、摺動操作体Ｃ３の突出部２９が、キャップ基体Ｃ１の頂板１９に接合して妄動が阻止され、開蓋状態が維持される。
そこで、キャップＣを下方に向けて、振出し容器を振ると、振出し孔２１から内容物が振出される。
所望量の調味料を振出した後に、廻動蓋Ｃ２を押さえて閉じると、摺動操作体Ｃ３は元の状態に戻り、閉蓋状態を維持する。
【００１９】
振出し容器は、上記のように従来と同様に使用することができるが、容器を軸線方向に強く振ると、図４に示すように、内側容器Ａが係止突条６が係止端１１に接合するまで、外側容器Ｂから外方向に飛び出し、振出し用のキャップＣを大きく移動させることになり、内容物は、大きな速度で振出し孔２１より排出され、振出し孔２１内面および周辺に付着しない。
さらに、付着されている内容物も除去できる。
【００２０】
さらに、振出し中に目詰まりが起こるようであれば、図５に示すように、内側容器Ａを引き出し、横方向に振ると、キャップＣは、横方向、或いは上下方向に大きく振動し、内容物は、振出し孔２１に対して横方向の大きい速度が与えられ、振出し孔２１内面に衝突するので、振出し孔２１の内周およびその周辺に付着することなく振出され、また、付着されている内容物もともに排出される。
したがって、振出し孔２１には、内容物が付着しないようにでき、目詰まりを防ぐことができる。
【００２１】
次に、内側容器の下部胴部と支持筒との係合にかかる別実施例について説明する。
図６において、Ａａは内側容器、Ｂａは外側容器である。
内側容器Ａａは、前実施形態と同様に、上部胴部３５と下部胴部３６を具えており、下部胴部３６の下端には、底部３７に沿って球帯状の係合環３８が設けられている。
外側容器Ｂａは、その下方部内周に、下部胴部３６の高さにほぼ対応する厚肉の支持筒部３９が設けられており、支持筒部３９内周上端には、球帯状の係止部４０が設けられている。
【００２２】
内側容器Ａａと外側容器Ｂａとのセットにあたって、係合環３８を係止部４０に押込むと、下部胴部３６が支持筒部３９内に嵌挿される。
【００２３】
使用にあたっては、前実施形態と同様に、内側容器を引き出し、横方向に振ることによって、同一の作用効果を得ることができる。
また、前実施例と同様に、外側容器に、支持筒を立設して、下部胴部下端の球帯状の係合環を保持するようにしてもよい。
【００２４】
前記実施形態では、キャップとして特定の形状、機構を具えたものについて説明したが、キャップ基体の上板に振出し孔を設け、振出し孔を塞ぐ栓体を具えたヒンジキャップをキャップ基体に取着したキャップ、或いは、振出し孔を設けた中蓋とオーバーキャップ等、キャップの構成は、実施形態のものに限定されない。
また、振出し孔の数も、一つでも複数でもよい。
【００２５】
また、実施形態では、内容物として調味料、香辛料等について説明したが、顆粒状のキャンディ等の菓子類その他の食料品、或いは粉末状または顆粒状の化粧料、薬品その他のものであってもよい。
【００２６】
【発明の効果】
本発明は、上記のように構成されているから、次の効果を奏する。
粉末状または顆粒状の内容物を収納し、上端に振出し孔を設けたキャップを被嵌した内側容器を、外側容器に軸方向と横方向に振動可能として装着したので、振出し時には、内容物により大きい速度をもって振出すことができ、振出し孔周縁への付着を防ぐことができ、さらに、振出し孔に付着した調味料を振落とし、目詰まりを防ぐことができる。
【図面の簡単な説明】
【図１】本発明の振出し容器の斜視図である。
【図２】振出し容器の断面図である。
【図３】図２のＡ−Ａ線における横断面図である。
【図４】容器の軸方向振出し時の説明図である。
【図５】振出し容器の軸方向引出し・横方向振出し時の説明図である。
【図６】下部胴部と支持筒の別実施の説明図で、（ａ）は振出し前、（ｂ）は軸方向引出し・横方向振出し時の断面図である。
【符号の説明】
Ａ、Ａａ    内側容器
Ｂ、Ｂａ    外側容器
Ｃ          キャップ
Ｃ１        キャップ基体
Ｃ２        廻動蓋
Ｃ３        摺動操作体
１          口部
２、３５    上部胴部
３、３６    下部胴部
４、３７    底部
５、２０    ねじ
６          係止突条
７          側周壁
８          底壁
９          支持筒
９ａ        フランジ
１０        係合溝
１１        係止端
１５        側周壁
１６        仕切り板
１７        振出し筒
１８        案内壁
１９        頂板
２１        振出し孔
２２        頂壁
２３        側壁
２４        板体
２５        栓体
２６        連結板
２７        押圧板
２８        側板
２９        突出部
３０        天板
３８        係合環
３９        支持筒部
４０        係止部
【図１】
2004298515.tif 000003
【図２】
2004298515.tif 000004
【図３】
2004298515.tif 000005
【図４】
2004298515.tif 000006
【図５】
2004298515.tif 000007
【図６】
2004298515.tif 000008